(57)【要約】【課題】  製造コストの高騰を来すことなくディスク状記録媒体の安定した回転状態を確保する。【解決手段】  光ピックアップ及びディスクテーブルが配置されたピックアップベースとピックアップベースが取り付けられた第１のベースシャーシとを有する第１のシャーシユニットと、第２のベースシャーシを有しチャッキングプーリーが配置された第２のシャーシユニットとを備え、第１のベースシャーシに第１の整流板部が設けられ、第２のベースシャーシに第２の整流板部が設けられ、第１のシャーシユニットと第２のシャーシユニットの間の空間にディスク状記録媒体が搬送されたときに、第１のシャーシユニット又は第２のシャーシユニットの少なくとも一方がディスク状記録媒体の厚み方向へ移動されてディスク状記録媒体がディスクテーブルとチャッキングプーリーによって挟持されて保持されると共に第１の整流板部と第２の整流板部がディスク状記録媒体に対向して位置されるようにした。【選択図】図１６
2014207034.tif 000002
【特許請求の範囲】
【請求項１】
光ピックアップ及びディスクテーブルが配置されたピックアップベースと前記ピックアップベースが取り付けられた第１のベースシャーシとを有する第１のシャーシユニットと、
第２のベースシャーシを有しチャッキングプーリーが配置された第２のシャーシユニットとを備え、
前記第１のベースシャーシに第１の整流板部が設けられ、
前記第２のベースシャーシに第２の整流板部が設けられ、
前記第１のシャーシユニットと前記第２のシャーシユニットの間の空間に前記ディスク状記録媒体が搬送されたときに、前記第１のシャーシユニット又は前記第２のシャーシユニットの少なくとも一方が前記ディスク状記録媒体の厚み方向へ移動されて前記ディスク状記録媒体が前記ディスクテーブルと前記チャッキングプーリーによって挟持されて保持されると共に前記第１の整流板部と前記第２の整流板部が前記ディスク状記録媒体に対向して位置されるようにした
ディスクドライブ装置。
【請求項２】
前記第２のシャーシユニットに、光ピックアップが配置され前記第２のベースシャーシに取り付けられたピックアップベースが設けられた
請求項１に記載のディスクドライブ装置。
【請求項３】
前記第１のシャーシユニット又は前記第２のシャーシユニットの少なくとも一方が前記ディスク状記録媒体の厚み方向へ移動されたときに、前記第１のベースシャーシと前記第２のベースシャーシが前記ディスク状記録媒体の厚み方向において結合されるようにした
請求項１に記載のディスクドライブ装置。
【請求項４】
前記第１の整流板部の外周部が前記第２のベースシャーシ側に折り曲げられた第１の折曲部として設けられ、
前記第２の整流板部の外周部が前記第１のベースシャーシ側に折り曲げられた第２の折曲部として設けられ、
前記第１のシャーシユニット又は前記第２のシャーシユニットの少なくとも一方が前記ディスク状記録媒体の厚み方向へ移動されたときに前記第１の折曲部と前記第２の折曲部が突き当てられて結合されるようにした
請求項３に記載のディスクドライブ装置。
【請求項５】
前記第１のシャーシユニットと前記第２のシャーシユニットが前記ディスク状記録媒体の厚み方向へ移動されるようにした
請求項１に記載のディスクドライブ装置。
【請求項６】
前記第１のシャーシユニットと前記第２のシャーシユニットが同時に移動されるようにした
請求項５に記載のディスクドライブ装置。
【請求項７】
所定の方向へ移動されて前記第１のシャーシユニットと前記第２のシャーシユニットを移動させるカムスライダーが設けられた
請求項６に記載のディスクドライブ装置。
【発明の詳細な説明】
【技術分野】
【０００１】
本技術は、ディスク状記録媒体をディスクテーブルとチャッキングプーリーによって挟持してチャッキングした状態でディスク状記録媒体に情報信号の記録又は再生を行うディスクドライブ装置についての技術分野に関する。
【先行技術文献】
【特許文献】
【０００２】
【特許文献１】特開平１０−１８８４５６号公報
【背景技術】
【０００３】
ディスク状記録媒体に対して画像データーや音声データー等の情報信号の記録や再生を行うディスクドライブ装置がある。このようなディスクドライブ装置には、例えば、ディスクテーブルとチャッキングプーリーによってディスク状記録媒体を挟持してチャッキングし、ディスク状記録媒体に対する情報信号の記録や再生を行うように構成されたものがある（例えば、特許文献１参照）。
【０００４】
特許文献１に記載されたディスクドライブ装置は、ディスクテーブルが配置された第１のシャーシと、チャッキングプーリーが配置された第２のシャーシとを有し、ディスク状記録媒体が第１のシャーシと第２のシャーシの間に搬送されるように構成されている。
【０００５】
ディスク状記録媒体が第１のシャーシと第２のシャーシの間に搬送されたときには、スライドカム板の動作に応じて第１のシャーシと第２のシャーシが上下方向において互いに近付く方向へ移動され、ディスク状記録媒体がディスクテーブルとチャッキングプーリーによって挟持されてチャッキングされる。
【０００６】
ディスクテーブルとチャッキングプーリーによってディスク状記録媒体がチャッキングされることによりディスク状記録媒体の安定した保持状態が確保され、ディスク状記録媒体がディスクテーブルの回転に伴って回転されてディスク状記録媒体に対する情報信号の記録や再生が行われる。
【発明の概要】
【発明が解決しようとする課題】
【０００７】
ところで、ディスクドライブ装置においては、ディスクテーブルの回転に伴って回転されるディスク状記録媒体の安定した回転状態を確保するために、ディスク状記録媒体の周辺の空気の流れが乱流を生じず整流にされることが望ましい。ディスク状記録媒体の周辺に乱流が生じてしまうと、ディスク状記録媒体の回転時に厚み方向において面ブレが生じ、情報信号の記録動作や再生動作に支障を来すおそれがある。
【０００８】
一方、特許文献１に記載されたようなディスクドライブ装置において、ディスク状記録媒体の周辺の空気の流れを整流にするような専用の整流板を設けると、部品点数が多くなると共に機構が複雑になり、製造コストの高騰を来してしまう。
【０００９】
そこで、本技術ディスクドライブ装置は、上記した問題点を克服し、製造コストの高騰を来すことなくディスク状記録媒体の安定した回転状態を確保することを目的とする。
【課題を解決するための手段】
【００１０】
第１に、本技術に係るディスクドライブ装置は、光ピックアップ及びディスクテーブルが配置されたピックアップベースと前記ピックアップベースが取り付けられた第１のベースシャーシとを有する第１のシャーシユニットと、第２のベースシャーシを有しチャッキングプーリーが配置された第２のシャーシユニットとを備え、前記第１のベースシャーシに第１の整流板部が設けられ、前記第２のベースシャーシに第２の整流板部が設けられ、前記第１のシャーシユニットと前記第２のシャーシユニットの間の空間に前記ディスク状記録媒体が搬送されたときに、前記第１のシャーシユニット又は前記第２のシャーシユニットの少なくとも一方が前記ディスク状記録媒体の厚み方向へ移動されて前記ディスク状記録媒体が前記ディスクテーブルと前記チャッキングプーリーによって挟持されて保持されると共に前記第１の整流板部と前記第２の整流板部が前記ディスク状記録媒体に対向して位置されるようにしたものである。
【００１１】
従って、第１のベースシャーシの第１の整流板部と第２のベースシャーシの第２の整流板部とがディスク状記録媒体に対向して位置された状態においてディスク状記録媒体がディスクテーブルの回転に伴って回転される。
【００１２】
第２に、上記した本技術に係るディスクドライブ装置においては、前記第２のシャーシユニットに、光ピックアップが配置され前記第２のベースシャーシに取り付けられたピックアップベースが設けられることが望ましい。
【００１３】
これにより、ディスク状記録媒体の両面に対して情報信号の記録又は再生を行うことが可能になる。
【００１４】
第３に、上記した本技術に係るディスクドライブ装置においては、前記第１のシャーシユニット又は前記第２のシャーシユニットの少なくとも一方が前記ディスク状記録媒体の厚み方向へ移動されたときに、前記第１のベースシャーシと前記第２のベースシャーシが前記ディスク状記録媒体の厚み方向において結合されることが望ましい。
【００１５】
これにより、第１のベースシャーシと第２のベースシャーシの位置決めが行われて第１の整流板部と第２の整流板部の相対的な位置が明確になる。
【００１６】
第４に、上記した本技術に係るディスクドライブ装置においては、前記第１の整流板部の外周部が前記第２のベースシャーシ側に折り曲げられた第１の折曲部として設けられ、前記第２の整流板部の外周部が前記第１のベースシャーシ側に折り曲げられた第２の折曲部として設けられ、前記第１のシャーシユニット又は前記第２のシャーシユニットの少なくとも一方が前記ディスク状記録媒体の厚み方向へ移動されたときに前記第１の折曲部と前記第２の折曲部が突き当てられて結合されることが望ましい。
【００１７】
これにより、ディスク状記録媒体の外周側が第１の折曲部と第２の折曲部によって閉塞される。
【００１８】
第５に、上記した本技術に係るディスクドライブ装置においては、前記第１のシャーシユニットと前記第２のシャーシユニットが前記ディスク状記録媒体の厚み方向へ移動されることが望ましい。
【００１９】
これにより、ディスク状記録媒体の厚み方向における第１の整流板部と第２の整流板部の移動量をそれぞれ最小限にすることが可能になる。
【００２０】
第６に、上記した本技術に係るディスクドライブ装置においては、前記第１のシャーシユニットと前記第２のシャーシユニットが同時に移動されることが望ましい。
【００２１】
これにより、第１のシャーシユニットと第２のシャーシユニットが同時に移動されてディスク状記録媒体のチャッキング動作が行われる。
【００２２】
第７に、上記した本技術に係るディスクドライブ装置においては、所定の方向へ移動されて前記第１のシャーシユニットと前記第２のシャーシユニットを移動させるカムスライダーが設けられることが望ましい。
【００２３】
これにより、カムスライダーによって別部材である第１のシャーシユニットと第２のシャーシユニットが移動される。
【発明の効果】
【００２４】
本技術によれば、ディスクテーブルやチャッキングプーリーを配置するために必要な第１のベースシャーシと第２のベースシャーシの各一部がそれぞれ第１の整流板部と第２の整流板部として設けられているため、製造コストの高騰を来すことなくディスク状記録媒体の安定した回転状態を確保することができる。
【図面の簡単な説明】
【００２５】
【図１】図２乃至図１７と共に本技術ディスクドライブ装置を実施するための形態を示すものであり、本図は、ディスクドライブ装置の斜視図である。
【図２】ディスクドライブ装置の分解斜視図である。
【図３】第１のシャーシユニットの分解斜視図である。
【図４】第１のシャーシユニットの斜視図である。
【図５】第２のシャーシユニットの分解斜視図である。
【図６】第２のシャーシユニットの斜視図である。
【図７】カムスライダーの斜視図である。
【図８】図９乃至図１７と共にディスクドライブ装置の動作を示すものであり、本図は、初期状態を示す概略側面図である。
【図９】初期状態を示す概略断面図である。
【図１０】初期状態においてディスク状記録媒体が搬送されている状態を示す斜視図である。
【図１１】ディスク状記録媒体がチャッキング位置まで搬送された状態を示す概略断面図である。
【図１２】第１のシャーシユニットと第２のシャーシユニットが上下方向へ移動されている途中の状態を示す概略側面図である。
【図１３】第１のシャーシユニットと第２のシャーシユニットが上下方向へ移動されている途中の状態を示す概略断面図である。
【図１４】第１のシャーシユニットと第２のシャーシユニットが上下方向へ移動され第１の整流板部と第２の整流板部が結合された状態を示す概略側面図である。
【図１５】第１のシャーシユニットと第２のシャーシユニットが上下方向へ移動され第１の整流板部と第２の整流板部が結合された状態を示す斜視図である。
【図１６】第１のシャーシユニットと第２のシャーシユニットが上下方向へ移動され第１の整流板部と第２の整流板部が結合された状態を示す概略断面図である。
【図１７】第１のシャーシユニットと第２のシャーシユニットが上下方向へ移動され第１の整流板部と第２の整流板部が結合された状態を一部を断面にして示す斜視図である。
【発明を実施するための形態】
【００２６】
以下に、本技術ディスクドライブ装置の実施の形態を添付図面に従って説明する。
【００２７】
以下の説明にあっては、ローディング時にディスクドライブ装置へ向けてディスク状記録媒体が搬送される方向を後方（引込方向）とし、イジェクト時にディスクドライブ装置からディスク状記録媒体が搬送される方向を前方（排出方向）とし、左右方向は前方からディスクドライブ装置を見たときの状態で示し、前後上下左右の方向を示すものとする。
【００２８】
尚、以下に示す前後上下左右の方向は説明の便宜上のものであり、本技術の実施に関しては、これらの方向に限定されることはない。
【００２９】
［ディスクドライブ装置の構成］
先ず、ディスクドライブ装置１の具体的な構成について説明する（図１乃至図７参照）。
【００３０】
＜ベースフレーム＞
ディスクドライブ装置１はベースフレーム２とベースフレーム２を上側から覆う図示しないカバーとを有し、ベースフレーム２は外形が縦長の略矩形状に形成された底面板部３と底面板部３の左右両側縁からそれぞれ上方へ突出された複数の側面板部４、４、・・・とを有している（図１及び図２参照）。
【００３１】
ベースフレーム２の前後方向における略中央部の左右両側には、前後に二つずつの側面板部４、４、・・・が並んで設けられている。この前後に並ぶ側面板部４、４間には上方に開口され上下に延びるスリットが形成され、このスリットが案内規制孔４ａとして形成されている。
【００３２】
前後方向における略中央部において前後に二つずつ並ぶ側面板部４、４、・・・の外面にはそれぞれ案内規制ピン５、５、・・・が取り付けられている。
【００３３】
＜第１のシャーシユニット＞
ベースフレーム２の側面板部４、４には第１のシャーシユニット６が上下方向へ移動自在に支持されている。第１のシャーシユニット６は第１のベースシャーシ７と第１のピックアップベース８を有している（図３及び図４参照）。
【００３４】
第１のベースシャーシ７はベースプレート９にディスク用プレート１０が結合されて成る。
【００３５】
ベースプレート９は上下方向を向くベース面部１１とベース面部１１の左右両側縁からそれぞれ上方へ突出された第１のサイド面部１２、１２とベース面部１１の左右両側縁からそれぞれ上方へ突出された第２のサイド面部１３、１３、・・・とを有している。
【００３６】
ベース面部１１は縦長の略矩形状に形成されている。
【００３７】
第１のサイド面部１２は第２のサイド面部１３より稍内側に位置され、第１のサイド面部１２の外面には被案内ピン１２ａ、１２ａが上下に離隔して設けられている。被案内ピン１２ａ、１２ａはベースフレーム２の側面板部４、４間に形成された案内規制孔４ａに上下方向へ摺動自在に係合され、ベースプレート９がベースフレーム２によって左右方向への移動が規制される。
【００３８】
第２のサイド面部１３、１３、・・・はそれぞれ第１のサイド面部１２、１２を挟んだ前後に位置されている。第２のサイド面部１３の外面には被ガイドピン１３ａが設けられている。
【００３９】
ベース面部１１上には上方へ突出された四つの取付突部１４、１４、・・・が前後左右に離隔して設けられている。
【００４０】
ディスク用プレート１０は上下方向を向く上面板部１５と上面板部１５の外周部からそれぞれ下方へ突出された連結板部１６、１６、１６と連結板部１６、１６、１６の下端部にそれぞれ連続して設けられた被取付板部１７、１７、１７とから成る。上面板部１５には外形が円弧状に形成された第１の整流板部１８が設けられ、第１の整流板部１８の外周部が上方へ折り曲げられた第１の折曲部１８ａとして設けられている。第１の整流板部１８には外周から中央部に亘る位置に透過用切欠１８ｂが形成されている。
【００４１】
ディスク用プレート１０は被取付板部１７、１７、１７がベース面部１１の外周部に取り付けられてベースプレート９に結合されている。ディスク用プレート１０がベースプレート９に結合された状態においては、上面板部１５がベース面部１１に平行な状態で位置される。
【００４２】
第１のピックアップベース８はベースプレート９のベース面部１１に取付突部１４、１４、・・・を介して取り付けられている。第１のピックアップベース８は配置プレート１９に所要の各部が配置されて成る。
【００４３】
配置プレート１９は縦長の略矩形状に形成され、四隅にインシュレーター２０、２０、・・・が結合されている。第１のピックアップベース８はインシュレーター２０、２０、・・・がそれぞれ取付突部１４、１４、・・・に取り付けられて第１のベースシャーシ７に結合される。第１のピックアップベース８は第１のベースシャーシ７に結合された状態において、ディスク用プレート１０の第１の整流板部１８より下側に位置される。
【００４４】
配置プレート１９の長手方向における一端部にはスピンドルモーター２１が配置され、スピンドルモーター２１の出力軸にはディスクテーブル２２が連結されている。従って、ディスクテーブル２２がスピンドルモーター２１の駆動力によって回転される。ディスクテーブル２２は外周部がテーブル部２２ａとして設けられ、テーブル部２２ａの内側の部分が上方へ突出されたセンターリング突部２２ｂとして設けられている。
【００４５】
配置プレート１９には長手方向に延びるガイド軸２３、２３が左右に離隔して配置されている。ガイド軸２３、２３には第１の光ピックアップ２４が移動自在に支持されている。
【００４６】
配置プレート１９には駆動モーター２５が配置されている。駆動モーター２５は前後に延びるリードスクリューを有し、リードスクリューが第１の光ピックアップ２４の一部に螺合されている。従って、第１の光ピックアップ２４は駆動モーター２５の駆動力によりガイド軸２３、２３に案内されてディスクテーブル２２に離接する方向（前後方向）へ移動される。第１の光ピックアップ２４が移動されるときには、ディスク状記録媒体１００に対して第１の光ピックアップ２４から出射された光が第１の整流板部１８に形成された透過用切欠１８ｂを介してディスク状記録媒体１００に照射される。
【００４７】
＜第２のシャーシユニット＞
ベースフレーム２の側面板部４、４、・・・には第１のシャーシユニット６の上方において第２のシャーシユニット２６が上下方向へ移動自在に支持されている（図２及び図３参照）。第２のシャーシユニット２６は第２のベースシャーシ２７と第２のピックアップベース２８を有している（図５及び図６参照）。
【００４８】
第２のベースシャーシ２７は縦長の略矩形状に形成されたベース面部２９とベース面部２９の左右両側縁からそれぞれ上方へ突出された第１のサイド面部３０、３０とベース面部２９の左右両側縁からそれぞれ上方へ突出された第２のサイド面部３１、３１、・・・とを有している。
【００４９】
ベース面部２９には上下に貫通された透過孔２９ａが形成されている。
【００５０】
第１のサイド面部３０は第２のサイド面部３１より稍内側に位置され、第１のサイド面部３０の外面には被案内ピン３０ａ、３０ａが上下に離隔して設けられている。被案内ピン３０ａ、３０ａはベースフレーム２の側面板部４、４間に形成された案内規制孔４ａに上下方向へ摺動自在に係合され、第２のベースシャーシ２７がベースフレーム２によって左右方向への移動が規制される。
【００５１】
第２のサイド面部３１、３１、・・・はそれぞれ第１のサイド面部３０、３０を挟んだ前後に位置されている。第２のサイド面部３１の外面には被ガイドピン３１ａが設けられている。
【００５２】
ベース面部２９上には上方へ突出された四つの取付突部３２、３２、・・・が前後左右に離隔して設けられている。
【００５３】
第２のベースシャーシ２７の一部は第２の整流板部３３として設けられ、第２の整流板部３３は第１のベースシャーシ７の第１の整流板部１８の真上に位置する部分である。透過孔２９ａの一部は第２の整流板部３３にも位置されている。第２の整流板部３３は外周部が下方へ折り曲げられた第２の折曲部３３ａとして設けられている。
【００５４】
第２のピックアップベース２８は第２のシャーシユニット２７のベース面部２９に取付突部３２、３２、・・・を介して取り付けられている。第２のピックアップベース２８は配置プレート３４に所要の各部が配置されて成る。
【００５５】
配置プレート３４は縦長の略矩形状に形成され、四隅にインシュレーター３５、３５、・・・が結合されている。第２のピックアップベース２８はインシュレーター３５、３５、・・・がそれぞれ取付突部３２、３２、・・・に取り付けられて第２のベースシャーシ２７に結合される。第２のピックアップベース２８は第２のベースシャーシ２７に結合された状態において、第２のベースシャーシ２７の第２の整流板部３３より上側に位置される。
【００５６】
配置プレート３４の長手方向における一端部には上下に貫通された支持孔３４ａが形成されている。支持孔３４ａにはチャッキングプーリー３６が回転自在に支持されている。
【００５７】
チャッキングプーリー３６は上下に延びる軸部３６ａと軸部３６ａの下端部から外方へ張り出されたクランプ部３６ｂと軸部３６ａの上端部から外方へ張り出されたフランジ部３６ｃとを有している。チャッキングプーリー３６は軸部３６ａが支持孔３４ａに挿入された状態で、第２のピックアップベース２８に上下方向へ移動自在かつ軸周り方向へ回転自在に支持されている。チャッキングプーリー３６はフランジ部３６ｃの外径が支持孔３４ａの径より大きくされることにより第２のピックアップベース２８からの脱落が防止されている。
【００５８】
配置プレート３４には長手方向に延びるガイド軸３７、３７が左右に離隔して配置されている。ガイド軸３７、３７には第２の光ピックアップ３８が移動自在に支持されている。
【００５９】
配置プレート３４には駆動モーター３９が配置されている。駆動モーター３９は前後に延びるリードスクリューを有し、リードスクリューが第２の光ピックアップ３８の一部に螺合されている。従って、第２の光ピックアップ３８は駆動モーター３９の駆動力によりガイド軸３７、３７に案内されてチャッキングプーリー３６に離接する方向（前後方向）へ移動される。第２の光ピックアップ３８が移動されるときには、ディスク状記録媒体１００に対して第２の光ピックアップ３８から出射された光が第２のベースシャーシ２７のベース面部２９に形成された透過孔２９ａを介してディスク状記録媒体１００に照射される。
【００６０】
＜カムスライダー＞
ベースフレーム２の側面板部４、４、・・・にはそれぞれカムスライダー４０、４０が前後方向へ移動自在に支持されている（図１及び図２参照）。カムスライダー４０は左右方向を向く板状に形成され、図示しない駆動機構によって前後方向へ移動される。
【００６１】
カムスライダー４０には第１のカム孔４１、４１が前後に離隔して形成されている（図７参照）。第１のカム孔４１は前後方向に延びる後側カム部４１ａと後側カム部４１ａの前端に連続され前方へ行くに従って上方へ変位する傾斜カム部４１ｂと傾斜カム部４１ｂの前端に連続され前後方向に延びる前側カム部４１ｃとから成る。
【００６２】
カムスライダー４０には第１のカム孔４１、４１の上方にそれぞれ第２のカム孔４２、４２が前後に離隔して形成されている。第２のカム孔４２は前後方向に延びる後側カム部４２ａと後側カム部４２ａの前端に連続され前方へ行くに従って下方へ変位する傾斜カム部４２ｂと傾斜カム部４２ｂの前端に連続され前後方向に延びる前側カム部４２ｃとから成る。
【００６３】
カムスライダー４０には前側の第１のカム孔４１の下側と後側の第１のカム孔４１の上側とにそれぞれ前後に延びる被ガイド孔４３、４３が形成されている。
【００６４】
カムスライダー４０は被ガイド孔４３、４３にそれぞれベースフレーム２の案内規制ピン５、５が挿入されることによりベースフレーム２に対して前後方向へ移動自在に支持される。
【００６５】
カムスライダー４０の第１のカム孔４１、４１には第１のシャーシユニット６の被ガイドピン１３ａ、１３ａがそれぞれ摺動自在に係合され、第１のシャーシユニット６がカムスライダー４０、４０に上下方向へ移動自在に支持される。
【００６６】
カムスライダー４０の第２のカム孔４２、４２には第２のシャーシユニット２６の被ガイドピン３１ａ、３１ａがそれぞれ摺動自在に係合され、第２のシャーシユニット２６がカムスライダー４０、４０に上下方向へ移動自在に支持される。
【００６７】
従って、カムスライダー４０、４０が前後方向へ移動されると、被案内ピン１２ａ、１２ａがベースフレーム２の案内規制孔４ａに案内され、被ガイドピン１３ａ、１３ａがカムスライダー４０の第１のカム孔４１、４１に摺動されて第１のシャーシユニット６が上下方向へ移動されると共に被ガイドピン３１ａ、３１ａがカムスライダー４０の第２のカム孔４２、４２に摺動されて第２のシャーシユニット２６が上下方向へ移動される。
【００６８】
［ディスクドライブ装置の動作］
以下に、ディスクドライブ装置１のディスク状記録媒体１００に対するチャッキング時の動作について説明する（図８乃至図１７参照）。
【００６９】
＜動作概要＞
先ず、チャッキング動作に関わる動作の概要について説明する。
【００７０】
ディスク状記録媒体１００は図示しないディスクカートリッジから取り出されて図示しない搬送装置によるローディング動作によりディスクドライブ装置１におけるチャッキング位置まで引込方向（後方）へ搬送され、チャッキング位置においてチャッキングされて情報信号の記録又は再生が行われる。また、情報信号の記録又は再生が終了すると、ディスク状記録媒体１００はチャッキングが解除され、搬送装置によるイジェクト動作により排出方向（前方）へ搬送されてディスクカートリッジに収納される。
【００７１】
尚、ディスク状記録媒体１００の搬送は、例えば、搬送装置に設けられたディスク保持部によってディスク状記録媒体１００が保持された状態で行われる。
【００７２】
＜初期状態＞
次に、チャッキング動作時のディスクドライブ装置１における各部の初期状態について説明する（図８乃至図１０参照）。
【００７３】
カムスライダー４０、４０はそれぞれ前方の移動端において保持されている。このときベースフレーム２の案内規制ピン５、５がそれぞれカムスライダー４０における被ガイド孔４３、４３の後端部に係合されている。また、第１のシャーシユニット６の被ガイドピン１３ａ、１３ａがそれぞれカムスライダー４０における第１のカム孔４１、４１の後側カム部４１ａ、４１ａの後端部に係合され、第２のシャーシユニット２６の被ガイドピン３１ａ、３１ａがそれぞれカムスライダー４０における第２のカム孔４２、４２の後側カム部４２ａ、４２ａの後端部に係合されている。
【００７４】
従って、第１のシャーシユニット６は下方の移動端に保持され、第２のシャーシユニット２６は上方の移動端に保持されている。第１のシャーシユニット６が下方の移動端に保持されると共に第２のシャーシユニット２６が上方の移動端に保持されることにより、第１のベースシャーシ７の第１の整流板部１８と第２のベースシャーシ２７の第２の整流板部３３とが上下方向において最も離隔して位置されている（図８及び図９参照）。また、ディスクテーブル２２とチャッキングプーリー３６も上下方向において最も離隔して位置されている。
【００７５】
＜チャッキング動作＞
ディスク状記録媒体１００はディスクカートリッジから取り出されて搬送装置によるローディング動作により引込方向（後方）へ搬送される（図１０参照）。ディスク状記録媒体１００は中心孔１００ａの中心がディスクテーブル２２の中心軸とチャッキングプーリー３６の中心軸とに一致されるチャッキング位置まで搬送される（図１１参照）。
【００７６】
ディスク状記録媒体１００がチャッキング位置まで搬送された状態においては、ディスク状記録媒体１００が第１のシャーシユニット６の第１の整流板部１８の真上に位置されると共に第２のシャーシユニット２６の第２の整流板部３３の真下に位置される。このときディスク状記録媒体１００は搬送装置のディスク保持部に保持されている。
【００７７】
ディスク状記録媒体１００がチャッキング位置まで搬送されると、駆動機構によってカムスライダー４０、４０が同期して後方へ向けて移動される。カムスライダー４０は被ガイド孔４３、４３にそれぞれベースフレーム２の案内規制ピン５、５が係合されているため、案内規制ピン５、５によって案内されて後方へ移動される。
【００７８】
カムスライダー４０が後方へ移動されていくと、第１のシャーシユニット６の被ガイドピン１３ａ、１３ａがそれぞれ第１のカム孔４１、４１の後側カム部４１ａ、４１ａから傾斜カム部４１ｂ、４１ｂへ向けて摺動されると共に第２のシャーシユニット２６の被ガイドピン３１ａ、３１ａがそれぞれ第２のカム孔４２、４２の後側カム部４２ａ、４２ａから傾斜カム部４２ｂ、４２ｂへ向けて摺動される（図１２参照）。従って、第１のシャーシユニット６が上方へ移動されていくと共に第２のシャーシユニット２６が下方へ移動されていき、第１のシャーシユニット６の第１の整流板部１８と第２のシャーシユニット２６の第２の整流板部３３とが互いに近付いていくと共にディスクテーブル２２とチャッキングプーリー３６が互いに近付いていく（図１３参照）。
【００７９】
ディスクテーブル２２とチャッキングプーリー３６が互いに近付いていくことにより、ディスクテーブル２２のセンターリング突部２２ｂがディスク状記録媒体１００の中心孔１００ａに下方から挿入される。ディスクテーブル２２のセンターリング突部２２ｂがディスク状記録媒体１００の中心孔１００ａに挿入されると、ディスク状記録媒体１００に対するディスク保持部による保持が解除され、ディスク保持部は、例えば、第１の整流板部１８と第２の整流板部３３の外周より外側に退避される。
【００８０】
カムスライダー４０、４０は引き続き後方へ移動され、第１のシャーシユニット６の被ガイドピン１３ａ、１３ａがそれぞれ第１のカム孔４１、４１の傾斜カム部４１ｂ、４１ｂから前側カム部４１ｃ、４１ｃの前端部まで摺動されると共に第２のシャーシユニット２６の被ガイドピン３１ａ、３１ａがそれぞれ第２のカム孔４２、４２の傾斜カム部４２ｂ、４２ｂから前側カム部４２ｃ、４２ｃの前端部まで摺動される（図１４及び図１５参照）。従って、第１のシャーシユニット６がさらに上方へ移動されていくと共に第２のシャーシユニット２６がさらに下方へ移動されていき、第１のシャーシユニット６の第１の整流板部１８と第２のシャーシユニット２６の第２の整流板部３３とがさらに互いに近付いていくと共にディスクテーブル２２とチャッキングプーリー３６がさらに互いに近付いていく（図１６参照）。
【００８１】
上記のように、ディスクテーブル２２とチャッキングプーリー３６が互いに近付くことにより、両者によってディスク状記録媒体１００が挟持されてチャッキングされる（図１６及び図１７参照）。ディスク状記録媒体１００がチャッキングされると、カムスライダー４０、４０の後方への移動が停止される。尚、ディスク状記録媒体１００は、例えば、チャッキングプーリー３６に設けられた図示しないマグネットによってディスクテーブル２２に設けられた図示しない金属板がディスク状記録媒体１００の内周部を介して吸着されることにより、内周部がディスクテーブル２２のテーブル部２２ａとチャッキングプーリー３６のクランプ部３６ｂとによって挟持されてチャッキングされる。
【００８２】
ディスク状記録媒体１００のチャッキングが行われた状態においては、第１の整流板部１８における第１の折曲部１８ａの上端と第２の整流板部３３における第２の折曲部３３ａの下端とが突き当てられ、第１のベースシャーシ７と第２のベースシャーシ２７が結合される。
【００８３】
また、第１の折曲部１８ａの上端と第２の折曲部３３ａの下端とが突き当てられることにより、第１の整流板部１８と第２の整流板部３３によってこれらの内部に収納空間４４が形成され、ディスク状記録媒体１００は収納空間４４に収納される。このときディスク状記録媒体１００には下面に対向して第１の整流板部１８が位置されると共に上面に対向して第２の整流板部３３が位置されており、ディスク状記録媒体１００の下面と第１の整流板部１８の間に一定の隙間が存在すると共にディスク状記録媒体１００の上面と第２の整流板部３３の間に一定の隙間が存在する。これらの隙間は、例えば、何れも２ｍｍ程度にされている。
【００８４】
上記したように、ディスク状記録媒体１００がチャッキングされると、ディスクテーブル２２がスピンドルモーター２１の駆動力によって回転され、ディスクテーブル２２とチャッキングプーリー３６とディスク状記録媒体１００が一体になって回転されると共に第１の光ピックアップ２４と第２の光ピックアップ３８の一方又は双方がディスク状記録媒体１００の半径方向へ移動されてディスク状記録媒体１００に対する情報信号の記録又は再生が行われる。
【００８５】
このとき、上記したように、ディスク状記録媒体１００の下面と第１の整流板部１８の間に一定の隙間が存在すると共にディスク状記録媒体１００の上面と第２の整流板部３３の間に一定の隙間が存在するため、ディスク状記録媒体１００の上下両面側の空気の流れが整流となり、ディスク状記録媒体１００に面ブレが生じ難い。
【００８６】
ディスク状記録媒体１００の回転が停止されディスク状記録媒体１００に対する情報信号の記録又は再生が終了すると、駆動機構によってカムスライダー４０、４０が前方へ向けて移動されていき、第１のシャーシユニット６の被ガイドピン１３ａ、１３ａがそれぞれ第１のカム孔４１、４１の前側カム部４１ｃ、４１ｃの前端部から後側カム部４１ａ、４１ａの後端部まで摺動されると共に第２のシャーシユニット２６の被ガイドピン３１ａ、３１ａがそれぞれ第２のカム孔４２、４２の前側カム部４２ｃ、４２ｃの前端部から後側カム部４２ａ、４２ａの後端部まで摺動される。従って、第１のシャーシユニット６が下方へ移動されていくと共に第２のシャーシユニット２６が上方へ移動されていき、第１のシャーシユニット６の第１の整流板部１８と第２のシャーシユニット２６の第２の整流板部３３とが離隔される。また、ディスクテーブル２２とチャッキングプーリー３６が互いに離隔されてディスク状記録媒体１００に対するチャッキングが解除される。
【００８７】
ディスク状記録媒体１００は再び搬送装置のディスク保持部に保持され、搬送装置によって排出方向（前方）へ搬送されてディスクカートリッジに収納される。
【００８８】
［まとめ］
以上に記載した通り、ディスクドライブ装置１にあっては、第１のピックアップベース８と第１のベースシャーシ７とを有する第１のシャーシユニット６と、第２のベースシャーシ２７を有する第２のシャーシユニット２６とを備え、第１のベースシャーシ７に第１の整流板部１８が設けられ、第２のベースシャーシ２７に第２の整流板部３３が設けられている。
【００８９】
従って、ディスクテーブル２２やチャッキングプーリー３６を配置するために必要な第１のベースシャーシ７と第２のベースシャーシ２７の各一部がそれぞれ第１の整流板部１８と第２の整流板部３３として設けられているため、製造コストの高騰を来すことなくディスク状記録媒体１００の安定した回転状態を確保することができる。
【００９０】
また、第２のシャーシユニット２６に第２の光ピックアップ３８が配置された第２のピックアップベース２８が設けられている。
【００９１】
従って、ディスク状記録媒体１００の両面に対して情報信号の記録又は再生を行うことが可能になり、ディスクドライブ装置１の機能性の向上を確保した上でディスク状記録媒体１００の安定した回転状態を確保することができる。
【００９２】
尚、上記には、第１のシャーシユニット６に第１のピックアップベース８が設けられると共に第２のシャーシユニット２６に第２のピックアップベース２８が設けられた例を示したが、ディスクドライブ装置１は第１のシャーシユニット６又は第２のシャーシユニット２６の一方にピックアップベースが設けられディスク状記録媒体１００の一方の面に対して情報信号の記録又は再生が行われるように構成されていてもよい。
【００９３】
さらに、第１のシャーシユニット６と第２のシャーシユニット２６が移動されたときに、第１のベースシャーシ７と第２のベースシャーシ２７がディスク状記録媒体１００の厚み方向において結合される。
【００９４】
従って、第１のベースシャーシ７と第２のベースシャーシ２７の位置決めが行われて第１の整流板部１８と第２の整流板部３３の相対的な位置が明確になり、第１の整流板部１８と第２の整流板部３３のディスク状記録媒体１００に対する位置決めが行われ、第１の整流板部１８と第２の整流板部３３による良好な整流機能を確保することができる。
【００９５】
さらにまた、第１の整流板部１８の第１の折曲部１８ａと第２の整流板部３３の第２の折曲部３３ａとが突き当てられて結合される。
【００９６】
従って、ディスク状記録媒体１００の外周側が第１の折曲部１８ａと第２の折曲部３３ａによって閉塞され、第１の整流板部１８と第２の整流板部３３による一層良好な整流機能を確保することができる。
【００９７】
また、第１のシャーシユニット６と第２のシャーシユニット２６の双方がディスク状記録媒体１００の厚み方向へ移動されてディスク状記録媒体１００のチャッキング動作が行われる。
【００９８】
従って、ディスク状記録媒体１００の厚み方向における第１の整流板部１８と第２の整流板部３３の移動量をそれぞれ最小限にすることが可能になり、第１の整流板部１８と第２の整流板部３３のディスク状記録媒体１００に対する位置ずれをそれぞれ抑制することができる。
【００９９】
さらに、第１のシャーシユニット６と第２のシャーシユニット２６が同時に移動されてディスク状記録媒体１００のチャッキング動作が行われるため、ディスクドライブ装置１における動作の迅速化を図ることができる。
【０１００】
加えて、第１のシャーシユニット６と第２のシャーシユニット２６を移動させるカムスライダー４０、４０が設けられているため、カムスライダー４０、４０によって別部材である第１のシャーシユニット６と第２のシャーシユニット２６が移動され、ディスクドライブ装置１の構造の簡素化を図ることができる。
【０１０１】
［本技術］
本技術は、以下のような構成とすることができる。
【０１０２】
（１）
光ピックアップ及びディスクテーブルが配置されたピックアップベースと前記ピックアップベースが取り付けられた第１のベースシャーシとを有する第１のシャーシユニットと、
第２のベースシャーシを有しチャッキングプーリーが配置された第２のシャーシユニットとを備え、
前記第１のベースシャーシに第１の整流板部が設けられ、
前記第２のベースシャーシに第２の整流板部が設けられ、
前記第１のシャーシユニットと前記第２のシャーシユニットの間の空間に前記ディスク状記録媒体が搬送されたときに、前記第１のシャーシユニット又は前記第２のシャーシユニットの少なくとも一方が前記ディスク状記録媒体の厚み方向へ移動されて前記ディスク状記録媒体が前記ディスクテーブルと前記チャッキングプーリーによって挟持されて保持されると共に前記第１の整流板部と前記第２の整流板部が前記ディスク状記録媒体に対向して位置されるようにした
ディスクドライブ装置。
【０１０３】
（２）
前記第２のシャーシユニットに、光ピックアップが配置され前記第２のベースシャーシに取り付けられたピックアップベースが設けられた
前記（１）に記載のディスクドライブ装置。
【０１０４】
（３）
前記第１のシャーシユニット又は前記第２のシャーシユニットの少なくとも一方が前記ディスク状記録媒体の厚み方向へ移動されたときに、前記第１のベースシャーシと前記第２のベースシャーシが前記ディスク状記録媒体の厚み方向において結合されるようにした
前記（１）又は前記（２）に記載のディスクドライブ装置。
【０１０５】
（４）
前記第１の整流板部の外周部が前記第２のベースシャーシ側に折り曲げられた第１の折曲部として設けられ、
前記第２の整流板部の外周部が前記第１のベースシャーシ側に折り曲げられた第２の折曲部として設けられ、
前記第１のシャーシユニット又は前記第２のシャーシユニットの少なくとも一方が前記ディスク状記録媒体の厚み方向へ移動されたときに前記第１の折曲部と前記第２の折曲部が突き当てられて結合されるようにした
前記（３）に記載のディスクドライブ装置。
【０１０６】
（５）
前記第１のシャーシユニットと前記第２のシャーシユニットが前記ディスク状記録媒体の厚み方向へ移動されるようにした
前記（１）から前記（４）の何れかに記載のディスクドライブ装置。
【０１０７】
（６）
前記第１のシャーシユニットと前記第２のシャーシユニットが同時に移動されるようにした
前記（５）に記載のディスクドライブ装置。
【０１０８】
（７）
所定の方向へ移動されて前記第１のシャーシユニットと前記第２のシャーシユニットを移動させるカムスライダーが設けられた
前記（６）に記載のディスクドライブ装置。
【符号の説明】
【０１０９】
１…ディスクドライブ装置、６…第１のシャーシユニット、７…第１のベースシャーシ、８…第１のピックアップベース、１８…第１の整流板部、１８ａ…第１の折曲部、２２…ディスクテーブル、２４…第１の光ピックアップ、２６…第２のシャーシユニット、２７…第２のベースシャーシ、２８…第２のピックアップベース、３３…第２の整流板部、３３ａ…第２の折曲部、３８…第２の光ピックアップ、４０…カムスライダー、１００…ディスク状記録媒体
【図１】
2014207034.tif 000003
【図２】
2014207034.tif 000004
【図３】
2014207034.tif 000005
【図４】
2014207034.tif 000006
【図５】
2014207034.tif 000007
【図６】
2014207034.tif 000008
【図７】
2014207034.tif 000009
【図８】
2014207034.tif 000010
【図９】
2014207034.tif 000011
【図１０】
2014207034.tif 000012
【図１１】
2014207034.tif 000013
【図１２】
2014207034.tif 000014
【図１３】
2014207034.tif 000015
【図１４】
2014207034.tif 000016
【図１５】
2014207034.tif 000017
【図１６】
2014207034.tif 000018
【図１７】
2014207034.tif 000019